(57)【要約】      （修正有）【課題】容器本体の開口部を被覆、開放する際に、料理の盛付が崩れる虞がなく、又、容器本体の開口部を開放するのが容易な包装用容器を提供する。【解決手段】底板部２１及び側板部２３，２３から成る容器本体２と、天板部３１及び側板部３３，３３から成る外蓋体３と、容器本体２の開口部に嵌合自在とした薄肉プラスチックシートから成る内蓋体４と、から包装用容器を構成する。内蓋体４は、その周辺部に容器本体２の側板部２３，２３と嵌合する嵌合凸部４１ｂを形成してあり、その周囲の対向する両辺に、折曲線を介して耳片部４２，４２を形成してある。【選択図】図５
2018095275.tif 000002
【特許請求の範囲】
【請求項１】
底板部及び側板部から成る容器本体と、天板部及び側板部から成る外蓋体と、前記容器本体の開口部に嵌合自在とした薄肉プラスチックシートから成る内蓋体と、から構成したことを特徴とする包装用容器。
【請求項２】
前記内蓋体は、その周辺部に前記容器本体の側板部と嵌合する嵌合凸部を形成したことを特徴とする請求項１に記載の包装用容器。
【請求項３】
前記内蓋体は、その周囲の対向する両辺に、折曲線を介して耳片部を形成してあることを特徴とする請求項２に記載の包装用容器。
【発明の詳細な説明】
【技術分野】
【０００１】
本発明は、特に、仏事、祭事、祝事等の際に、寿司、刺身等の新鮮な料理を収容して、宅配する際に使用される包装用容器に関する。
【背景技術】
【０００２】
一般的に、仏事、祭事、祝事等の際に、業者が寿司、刺身等の新鮮な料理を収容して、宅配する際には、使用後の容器の回収を不要とするために、顧客において容易に廃棄処分できる厚紙製の矩形状の包装用容器が使用されている。
この包装用容器は、底板部及び側板部から成る矩形状の容器本体と、天板部及び側板部から成る矩形状の蓋体と、から構成され、容器本体に蓋体を被覆して使用される（特許文献１を参照）。
【０００３】
ここで、業者が寿司、刺身等の新鮮な料理を調製し、包装用容器に収容し、顧客まで宅配し、顧客において保管した後、適宜時期に包装用容器を開け、顧客が料理を食べるまでには、相当の時間が掛かる。
そこで、従来は、業者は、新鮮な料理を容器本体に収容し、透明な包装用プラスチックフィルムを容器本体の開口部に密着、被覆した後に、容器本体に蓋体を被覆して、顧客まで宅配するようにしていた。
【０００４】
このように包装用プラスチックフィルムで容器本体の開口部を被覆すれば、新鮮な料理が乾燥するのを防止することができて、料理の新鮮さを極力損なわずに、顧客が食べることができる。
又、蓋体を取り外し、包装用プラスチックフィルムを容器本体の開口部に被覆した状態でテーブル等に載置しておけば、顧客が食べる前に、料理の豪華さ、盛付の美しさ等を演出することができる。
【先行技術文献】
【特許文献】
【０００５】
【特許文献１】実開平６−８７２１６号公報
【発明の概要】
【発明が解決しようとする課題】
【０００６】
しかし、従来のように、包装用プラスチックフィルムを容器本体の開口部に密着、被覆する方法では、業者が包装用プラスチックフィルムを容器本体の開口部に密着、被覆する際に、容器本体が動きやすく、折角の盛付が崩れてしまう場合があった。
一方、顧客が包装用プラスチックフィルムを容器本体の開口部から離反させる際には、
包装用プラスチックフィルムが密着しているために、取り外すのが面倒であると共に、やはり、容器本体が動きやすく、折角の盛付が崩れてしまう場合があった。
【０００７】
本発明は、このような問題点を解決するために為されたものであって、その目的とするところは、業者が容器本体の開口部を被覆する際に、容器本体が動き難く、盛付が崩れてしまう虞がなく、又、顧客が容器本体の開口部を開放するのが容易であって、盛付が崩れてしまう虞がない包装用容器を提供することにある。
【課題を解決するための手段】
【０００８】
上記目的を達成するために、本発明の包装用容器は、底板部及び側板部から成る容器本体と、天板部及び側板部から成る外蓋体と、前記容器本体の開口部に嵌合自在とした薄肉プラスチックシートから成る内蓋体と、から構成したことを特徴とする。
【０００９】
前記内蓋体は、その周辺部に前記容器本体の側板部と嵌合する嵌合凸部を形成したことを特徴とする。
【００１０】
前記内蓋体は、その周囲の対向する両辺に、折曲線を介して耳片部を形成してあるのが好ましい。
【発明の効果】
【００１１】
本発明の包装用容器によれば、内蓋体の嵌合凸部を容器本体の側板部に嵌合するだけで被覆できるから、業者は容器本体の開口部を容易に被覆することができ、容器本体が動き難く、盛付が崩れてしまう虞がない。
又、内蓋体の耳片部を指先で摘持して、内蓋体を容器本体から離脱するだけで容器本体の開口部を開放できるから、顧客が内蓋体を容器本体から取り外すのも容易であって、盛付が崩れてしまう虞がない。
【図面の簡単な説明】
【００１２】
【図１】本発明の一実施形態の包装用容器の容器本体の（Ａ）は平面図、（Ｂ）は正面図、（Ｃ）は底面図である。
【図２】本発明の一実施形態の包装用容器の外蓋体の（Ａ）は平面図、（Ｂ）は正面図、（Ｃ）は底面図である。
【図３】本発明の一実施形態の包装用容器の内蓋体の（Ａ）は平面図、（Ｂ）は正面図、（Ｃ）はI −I 線断面図である。
【図４】本発明の包装用容器において、容器本体に料理を収容し、内蓋体を容器本体に被覆した状態の（Ａ）は平面図、（Ｂ）はII−II線断面図である。
【図５】本発明の包装用容器において、図４に示す状態から、さらに、外蓋体を容器本体に被覆した状態の（Ａ）は平面図、（Ｂ）はIII−III線断面図である。
【発明を実施するための形態】
【００１３】
以下、本発明の包装用容器の好適な実施形態について、図面を参照しつつ詳細に説明する。
【００１４】
本発明の包装用容器１は、図１乃至３に示すように、矩形状の容器本体２と、矩形状の外蓋体３と、矩形状の内蓋体４と、から構成してある。
【００１５】
容器本体２は、図１に示すように、底板部２１と、底板部２１の四辺に連結した側板部２２，２２，２３，２３と、から成っており、底板部２１及び側板部２２，２２，２３，２３は厚紙で作製してある。
【００１６】
外蓋体３は、図２に示すように、天板部３１と、天板部３１の四辺に連結した側板部３２，３２，３３，３３と、から成っており、天板部３１及び側板部３２，３２，３３，３３は厚紙で作製してある。
【００１７】
内蓋体４は、図３に示すように、透明な薄肉のプラスチックシートを所定形状に成形したものであって、被覆部４１と、耳片部４２と、から構成してある。
【００１８】
被覆部４１は、周辺端部４１ａと、嵌合凸部４１ｂと、平坦面部４１ｃと、を形成してある。
周辺端部４１ａは、前記容器本体２の側板部２２，２２，２３，２３の上端面に載置されるようになっている。
嵌合凸部４１ｂは、下方に突出して形成されており、その外周面が前記容器本体２の側板部２２，２２，２３，２３の内周面に当接されるようになっている。
平坦面部４１ｃは、前記嵌合凸部４１ｂと接続してあり、前記周辺端部４１ａと略同一平面上になるように形成してある。
【００１９】
耳片部４２は、前記周辺端部４１ａの周囲の対向する両辺に、折曲線４２ａを介して形成してある。
よって、耳片部４２を上方から押圧すれば、折曲線４２ａにおいて容易に折曲し、下方に向かって略垂下するようになっている。
【００２０】
本発明の包装用容器１は、以上のような構成であって、以下のようにして使用することができる。
【００２１】
寿司等の料理Ａを調製して、宅配する業者は、先ず、図４に示すように、容器本体２に寿司等の料理Ａを盛付けて、収容する。
そして、図４に示すように、容器本体２の上方から内蓋体４を下降させ、容器本体２の側板部２２，２２，２３，２３の上端面に周辺端部４１ａを載置させると共に、容器本体２の側板部２２，２２，２３，２３の内周面に嵌合凸部４１ｂの外周面を当接させ、容器本体２に内蓋体４を被覆する。
【００２２】
この際、被覆した内蓋体４の平坦面部４１ｃに品書き等を記載した料理紹介シート５を載置しておけば、顧客に料理Ａの内容を知らしめることができると共に、宣伝効果を発揮させることができる。
【００２３】
次に、図５に示すように、内蓋体４を被覆した容器本体２の上方から外蓋体３を下降させ、容器本体２に外蓋体３を被覆する。
このとき、外蓋体３の側板部３３，３３の下端面が内蓋体４の耳片部４２，４２を押圧するから、耳片部４２，４２は折曲線４２ａ，４２ａにおいて折曲し、下方に向かって略垂下するようになると共に、外蓋体３の側板部３３，３３によって隠蔽される。
【００２４】
寿司等の料理Ａを宅配された顧客は、逆に、容器本体２から外蓋体３を上昇させ、図４に示すように、容器本体２から外蓋体３を取り外し、容器本体２には内蓋体４が被覆された状態とする。
このようにしてテーブル等に容器本体２を載置しておけば、顧客が食べる前に、料理Ａが乾燥するのを防止することができ、新鮮さを極力損なわないように保持しておくことができると共に、透明な内蓋体４を通して、収容された料理Ａを見ることができ、料理Ａの豪華さ、盛付の美しさ等を演出することができる。
【００２５】
そして、顧客は、適宜時期に内蓋体４の耳片部４２，４２を両指で摘持し、容器本体２から内蓋体４を上昇させ、容器本体２から内蓋体４を取り外せば、新鮮さを極力保持した料理Ａを食べることができる。
【００２６】
又、容器本体２から外蓋体３を上昇させる際、内蓋体４の耳片部４２，４２の下端から指先を掛け、外蓋体３と共に上昇させれば、容器本体２から外蓋体３及び内蓋体４を同時に取り外すこともできる。
【００２７】
上記に説明した通り、本発明の包装用容器１によれば、内蓋体４の嵌合凸部４１ｂを容器本体２の側板部２２，２２，２３，２３に嵌合するだけで被覆できるから、業者は容器本体２の開口部を容易に被覆することができ、容器本体２が動き難く、料理Ａの盛付が崩れてしまう虞がない。
【００２８】
又、内蓋体４の耳片部４２を指先で摘持して、内蓋体４を容器本体２から離脱するだけで容器本体２の開口部を開放できるから、顧客が内蓋体４を容器本体２から取り外すのも容易であって、料理Ａの盛付が崩れてしまう虞がない。
【００２９】
さらに、容器本体２に内蓋体４が被覆された状態としておけば、料理Ａが乾燥するのを防止することができ、新鮮さを極力損なわず保持しておくことができると共に、透明な内蓋体４を通して、料理Ａの豪華さ、盛付の美しさ等を演出することができる。
【００３０】
上記においては、本発明の包装用容器１について、寿司、刺身等の新鮮な料理Ａを収容して、宅配する際に使用する場合について説明したが、これら料理Ａに限らず、天婦羅、和菓子等の日本料理、餃子、焼売、小籠包その他点心等の中華料理、ハム、チーズ、サラダ、洋菓子等の西洋料理等を収納する場合、それら料理から成るオードブル、弁当を収納する場合の包装用容器としても使用することができる。
【００３１】
さらには、料理Ａを宅配する以外の用途、例えば、小型、軽量であって、水分の付着を防止したい機械部品、電気部品、電子部品等の部品を収納し、保管する用途にも使用することができる。
【符号の説明】
【００３２】
１  包装用容器
２  容器本体
２１  底板部
２２  側板部
２３  側板部
３  外蓋体
３１  天板部
３２  側板部
３３  側板部
４  内蓋体
４１  被覆部
４１ａ  周辺端部
４１ｂ  嵌合凸部
４２  耳片部
４２ａ  折曲線
【図１】
2018095275.tif 000003
【図２】
2018095275.tif 000004
【図３】
2018095275.tif 000005
【図４】
2018095275.tif 000006
【図５】
2018095275.tif 000007